(57)【要約】【課題】  放送番組の内容を容易に把握することのできる、低コストで小型のマルチ画面テレビジョン受像機を提供する。【解決手段】  マルチ画面表示が可能なテレビジョン受像機であって、テレビジョン放送を受信する少なくとも１つのチューナ３ｂと、チューナ３ｂの受信チャンネルを予め設定された複数のチャンネルにおいて一定の時間間隔で順次切り替える制御部９と、チューナ３ｂから上記一定の時間間隔で出力された動画データがチャンネル毎に順次蓄積される蓄積部５と、複数のチャンネルのそれぞれについて表示すべき動画データを蓄積部５からチャンネル別に読み出して同時に再生するデコーダ６と、同時再生された各チャンネルの動画データの映像を合成する映像合成部７とを有する。【選択図】図１
2006101159.tif 000002
【特許請求の範囲】
【請求項１】
テレビジョン放送を受信する複数のチューナと、
前記複数のチューナの少なくとも１つのチューナの受信チャンネルを予め設定された複数のチャンネルにおいて一定の時間間隔で順次切り替える制御部と、
前記少なくとも１つのチューナから前記一定の時間間隔で出力された動画データがチャンネル毎に順次蓄積される蓄積部と、
前記複数のチャンネルのそれぞれについて表示すべき動画データを前記蓄積部からチャンネル別に読み出して同時に再生する再生部と、
前記再生部で同時再生された各チャンネルの動画データがマルチ画面として表示される表示部とを有するマルチ画面テレビジョン受像機。
【請求項２】
前記テレビジョン放送に関する番組表が格納された記憶部をさらに有し、
前記再生部が、前記記憶部に格納された番組表にしたがって前記表示すべき動画データを前記蓄積部から読み出して再生する、請求項１に記載のマルチ画面テレビジョン受像機。
【請求項３】
現在の時刻情報を提示する時計部をさらに有し、
前記番組表が、前記複数のチャンネルのそれぞれで放送される番組の放送時間を含み、
前記制御部が、前記蓄積部に格納される動画データに、当該動画データが放送された放送時刻を前記時計部からの時刻情報に基づいて付与するとともに、前記番組表の放送時間と前記時計部から供給される現在の時刻情報とから現在放送中の番組を判断し、
前記再生部が、前記蓄積部に格納された動画データに付与されている放送時刻に基づいて、前記制御部で判断された現在放送中の番組に関する動画データを前記蓄積部から読み出して再生する、請求項２に記載のマルチ画面テレビジョン受像機。
【請求項４】
前記現在放送中の番組が、放送された映像の最新映像の表示が重要とされる所定のジャンルの番組であり、
前記再生部が、前記所定のジャンルの番組に関する動画データのうち、前記放送時刻が最も新しい動画データを前記蓄積部から読み出して再生する、請求項３に記載のマルチ画面テレビジョン受像機。
【請求項５】
前記現在放送中の番組が、放送された映像の最新映像の表示を重要としない所定のジャンルの番組であり、
前記再生部が、前記所定のジャンルの番組に関する動画データを前記放送時刻が古い順に前記蓄積部から読み出して再生する、請求項３に記載のマルチ画面テレビジョン受像機。
【請求項６】
前記現在放送中の番組と同じ番組構成で、同じ時間帯に放送された前回の番組の動画データが前記蓄積部に格納されており、
前記再生部が、前記現在放送中の番組の動画データの再生に代えて、前記前回の番組の、対応する放送時刻より所定の時間だけ新しい放送時刻の動画データを前記蓄積部から読み出して再生する、請求項３に記載のマルチ画面テレビジョン受像機。
【請求項７】
前記現在放送中の番組が再放送番組であり、該再放送番組と同じ内容の初回放送番組の動画データが前記蓄積部に格納されており、
前記再生部が、前記現在放送中の番組の動画データの再生に代えて、前記初回放送番組の、対応する放送時刻より所定の時間だけ新しい放送時刻の動画データを前記蓄積部から読み出して再生する、請求項３に記載のマルチ画面テレビジョン受像機。
【請求項８】
前記テレビジョン放送に関する番組表が格納された記憶部をさらに有し、
前記制御部が、前記記憶部に格納された番組表にしたがって前記蓄積部への前記動画データの格納を制御する、請求項１に記載のマルチ画面テレビジョン受像機。
【請求項９】
現在の時刻情報を提示する時計部をさらに有し、
前記番組表が、前記複数のチャンネルのそれぞれで放送される番組の放送時間を含み、
前記制御部が、前記番組の放送時間と前記時計部から供給される現在の時刻情報とから番組の先頭部分の放送タイミングを判断し、該放送タイミングに基づいて、番組の先頭部分に関する動画データを優先的に前記蓄積部へ格納する、請求項８に記載のマルチ画面テレビジョン受像機。
【請求項１０】
テレビジョン放送を受信する複数のチューナを有するマルチ画面の表示が可能なテレビジョン受像機によって行われるマルチ画面表示方法であって、
前記複数のチューナの少なくとも１つのチューナの受信チャンネルを予め設定された複数のチャンネルにおいて一定の時間間隔で順次切り替える第１のステップと、
前記少なくとも１つのチューナから前記一定の時間間隔で出力された動画データをチャンネル毎に蓄積部に順次蓄積する第２のステップと、
前記複数のチャンネルのそれぞれについて表示すべき動画データを前記蓄積部からチャンネル別に読み出して同時に再生する第３のステップと、
前記同時再生した各チャンネルの動画データを前記マルチ画面として表示する第４のステップとを含むマルチ画面表示方法。
【請求項１１】
前記第３のステップが、予め取得した前記テレビジョン放送に関する番組表にしたがって前記表示すべき動画データを前記蓄積部から読み出して再生する再生ステップを含む、請求項１０に記載のマルチ画面表示方法。
【請求項１２】
前記番組表が、前記複数のチャンネルのそれぞれで放送される番組の放送時間を含み、
現在の時刻情報を提示する別のステップをさらに含み、
前記再生ステップが、
前記蓄積部に格納される動画データに、当該動画データが放送された放送時刻を前記別のステップで提示された現在の時刻情報に基づいて付与するステップと、
前記番組表の放送時間と前記別のステップで提示された現在の時刻情報とから現在放送中の番組を判断するステップと、
前記蓄積部に格納された動画データに付与されている放送時刻に基づいて、前記判断された現在放送中の番組に関する動画データを前記蓄積部から読み出して再生するステップとを含む、請求項１１に記載のマルチ画面表示方法。
【請求項１３】
前記現在放送中の番組が、放送された映像の最新映像の表示が重要とされる所定のジャンルの番組であり、
前記再生ステップが、前記所定のジャンルの番組に関する動画データのうち、前記放送時刻が最も新しい動画データを前記蓄積部から読み出して再生するステップを含む、請求項１２に記載のマルチ画面表示方法。
【請求項１４】
前記現在放送中の番組が、放送された映像の最新映像の表示を重要としない所定のジャンルの番組であり、
前記再生ステップが、前記所定のジャンルの番組に関する動画データを前記放送時刻が古い順に前記蓄積部から読み出して再生するステップを含む、請求項１２に記載のマルチ画面表示方法。
【請求項１５】
前記第２のステップが、前記現在放送中の番組と同じ番組構成で、同じ時間帯に放送された前回の番組の動画データを前記蓄積部に格納するステップを含み、
前記再生ステップが、前記現在放送中の番組の動画データの再生に代えて、前記前回の番組の、対応する放送時刻より所定の時間だけ新しい放送時刻の動画データを前記蓄積部から読み出して再生するステップを含む、請求項１２に記載のマルチ画面表示方法。
【請求項１６】
前記第２のステップが、前記現在放送中の番組が再放送番組であり、該再放送番組と同じ内容の初回放送番組の動画データを前記蓄積部に格納するステップを含み、
前記再生ステップが、前記現在放送中の番組の動画データの再生に代えて、前記初回放送番組の、対応する放送時刻より所定の時間だけ新しい放送時刻の動画データを前記蓄積部から読み出して再生するステップを含む、請求項１２に記載のマルチ画面表示方法。
【請求項１７】
前記第２のステップが、予め取得した前記テレビジョン放送に関する番組表にしたがって前記蓄積部への前記動画データの格納を行う蓄積ステップを含む、請求項１０に記載のマルチ画面表示方法。
【請求項１８】
現在の時刻情報を提示する別のステップをさらに含み、
前記番組表が、前記複数のチャンネルのそれぞれで放送される番組の放送時間を含み、前記蓄積ステップが、前記番組の放送時間と前記別のステップで供給された現在の時刻情報とから番組の先頭部分の放送タイミングを判断し、該放送タイミングに基づいて、番組の先頭部分に関する動画データを優先的に前記蓄積部へ格納するステップを含む、請求項１７に記載のマルチ画面表示方法。
【発明の詳細な説明】
【技術分野】
【０００１】
本発明は、複数のチャンネルの画面を同時に表示することができる、マルチ画面テレビジョン受信装置およびマルチ画面表示方法に関する。
【背景技術】
【０００２】
マルチ画面表示が可能な種々のテレビジョン受像機が提案されている。一例として、特許文献１には、２台のチューナを備えるマルチ画面テレビジョン受像機が提案されている。このマルチ画面テレビジョン受像機では、マルチ画面が親画面と複数の子画面から構成されている。親画面には、一方のチューナで受信したチャンネルが常に表示される。各子画面には、他方のチューナの受信チャンネルを周期的に切り替えることで得られた各チャンネルの静止画がそれぞれ表示される。各子画面に表示される静止画は、一定の周期で更新される。
【０００３】
また、特許文献２には、複数のチューナを有し、各チューナで受信したチャンネルの画面が同時に表示されるマルチ画面テレビジョン受像機が記載されている。このマルチ画面テレビジョン受像機では、各画面に動画を表示することができる。
【特許文献１】特開平６−１７８２２７号公報
【特許文献２】特開平７−０６７０６１号公報
【発明の開示】
【発明が解決しようとする課題】
【０００４】
しかしながら、上述した従来の装置に以下のような問題がある。
【０００５】
特許文献１に記載の受像機においては、子画面の表示は静止画であり、その更新周期はある程度長いため、更新前の静止画と更新後の静止画の間における相関が弱い。このため、静止画では放送番組の内容を把握し難い、という問題を生じる。なお、１台のチューナの受信チャンネルを切り替えて表示する場合、受信チャンネルの切り替えには、ある程度の時間を要することから、静止画の更新周期を短くして動画のように見せることは困難である。
【０００６】
特許文献２に記載の受像機においては、マルチ画面には、各チューナで受信したチャンネルの動画が表示するようになっているため、放送番組の内容を容易に把握することが可能である。しかしながら、表示するチャンネル数だけ、チューナを用意する必要がある。例えば、５つのチャンネルの画面を表示する場合は、５台のチューナが必要である。このため、コスト面で不利となる上、装置も大掛かりなものとなる。
【０００７】
本発明の目的は、上記問題を解決し、放送番組の内容を容易に把握することのできる、低コストで小型のマルチ画面テレビジョン受像機およびマルチ画面表示方法を提供することにある。
【課題を解決するための手段】
【０００８】
上記目的を達成するため、本発明のマルチ画面テレビジョン受像機は、テレビジョン放送を受信する複数のチューナと、前記複数のチューナの少なくとも１つのチューナの受信チャンネルを予め設定された複数のチャンネルにおいて一定の時間間隔で順次切り替える制御部と、前記少なくとも１つのチューナから前記一定の時間間隔で出力された動画データがチャンネル毎に順次蓄積される蓄積部と、前記複数のチャンネルのそれぞれについて表示すべき動画データを前記蓄積部からチャンネル別に読み出して同時に再生する再生部と、前記再生部で同時再生された各チャンネルの動画データがマルチ画面として表示される表示部とを有する。
【０００９】
また、本発明のマルチ画面表示方法は、テレビジョン放送を受信する複数のチューナを有するマルチ画面の表示が可能なテレビジョン受像機によって行われるマルチ画面表示方法であって、前記複数のチューナの少なくとも１つのチューナの受信チャンネルを予め設定された複数のチャンネルにおいて一定の時間間隔で順次切り替える第１のステップと、前記少なくとも１つのチューナから前記一定の時間間隔で出力された動画データをチャンネル毎に蓄積部に順次蓄積する第２のステップと、前記複数のチャンネルのそれぞれについて表示すべき動画データを前記蓄積部からチャンネル別に読み出して同時に再生する第３のステップと、前記同時再生した各チャンネルの動画データを前記マルチ画面として表示する第４のステップとを含む。
【発明の効果】
【００１０】
上記のとおりの本発明では、マルチ画面には、各チャンネルの映像が動画で表示されるので、放送番組の内容を容易に把握することができる。加えて、チューナの台数は、マルチ画面に表示されるチャンネル数よりも少なくてよいので、表示するチャンネル数だけチューナを用意する必要のある従来の受像機に比べて、より低コストで、より小型なものを提供することが可能である。
【発明を実施するための最良の形態】
【００１１】
次に、本発明の実施形態について図面を参照して説明する。
【００１２】
（実施形態１）
図１は、本発明の第１の実施形態であるマルチ画面テレビジョン受像機の概略構成示すブロック図である。このマルチ画面テレビジョン受像機は、パーソナルコンピュータやレコーダに適用されるものであって、その主要部は、アンテナ１、分配器２、チューナ３ａ、３ｂ、エンコーダ４ａ、４ｂ、蓄積部５、デコーダ６、映像合成部７、表示部８、操作部１２および制御部９からなる。
【００１３】
アンテナ１は、テレビジョン放送波を受信するための既存のアンテナである。分配器２は、１入力、２出力の既存の分配器である。アンテナ１からの出力信号は、分配器２を介してチューナ３ａ、３ｂのそれぞれに供給されている。
【００１４】
チューナ３ａ、３ｂは、いずれも同じ構成のものであって、制御部９によって受信チャンネルの選局が行われる。チューナ３ａ、３ｂは、アンテナ１の出力信号に含まれている各チャンネルの信号のうちから、制御部９によって選局されたチャンネルの信号を取り出す。チューナ３ａの出力は２つに分岐され、一方は表示部８に、他方はエンコーダ４ａに供給されている。チューナ３ａの出力はエンコーダ４ｂに供給されている。
【００１５】
エンコーダ４ａ、４ｂおよびデコーダ６は、例えばＭＰＥＧ（Moving Picture Cording Experts Group）方式のエンコーダ／デコーダである。各エンコーダ４ａ、４ｂで符号化（圧縮）された動画データは蓄積部５に格納される。デコーダ６は、蓄積部５に格納された動画データを読み出して復号する。これらエンコーダ４ａ、４ｂによる符号化およびデコーダ６による復号の処理は、いずれも制御部９によって制御される。
【００１６】
映像合成部７は、デコーダ６にて復号した複数のチャネルの動画データを合成するものである。この映像合成部７で合成された動画データは、表示部８に供給される。表示部８は、ＣＲＴ（Cathode Ray Tube）、ＬＣＤ（Liquid Crystal Display）、プラズマディスプレイなどの表示デバイスより構成されるものである。
【００１７】
操作部１２は、入力用ボタン、タッチパネル、リモートコントローラなどの入力装置により構成されるものである。制御部９は、マルチ画面テレビジョン受像機全体の動作を制御するものであって、操作部１２における使用者による入力操作を受け付けて当該受像機の各部の動作を制御するとともに、不図示の記憶装置に予め格納されたプログラムに従って、テレビジョン放送の受信処理、通常の視聴／録画モードの処理、マルチ画面表示モードの処理などを含む各種処理を実行する。通常の視聴／録画モードおよびマルチ画面表示モードは、操作部１２を通じて使用者が所定の入力操作を行うことで任意に切り替えることが可能である。
【００１８】
次に、本実施形態のマルチ画面テレビジョン受像機の動作について説明する。ここでは、通常の視聴／録画モードおよび特徴となるマルチ画面表示モードに分けて動作を説明する。
【００１９】
（１）通常の視聴／録画モード：
通常表示モードでは、チューナ３ａが使用される。制御部９は、操作部１２にて使用者が指定したチャンネルを選局するための選局制御信号をチューナ３ａに供給する。チューナ３ａでは、制御部９からの選局制御信号に応じて受信チャンネルが設定される。受信チャンネルの設定後、チューナ３ａは、テレビジョン放送波のうちの、その設定されたチャンネルの映像信号を取り出し、増幅して表示部８に供給する。これにより、表示部８では、使用者が指定したチャンネルの映像が表示される。
【００２０】
また、使用者が操作部１２にて録画を行うための操作を行うと、制御部９は、エンコーダ４を介した蓄積部５への動画データの蓄積を開始する。こうして録画が開始される。録画開始後、使用者が操作部１２にて録画を終了するための操作を行うと、制御部９は、エンコーダ４を介した蓄積部５への動画データの蓄積を終了する。こうして録画が終了する。蓄積部５内に蓄積した動画データには、タイトル、番組名など種々の情報を付与することが可能である。
【００２１】
蓄積部５には、複数の動画データ（番組など）を格納することができる。制御部９は、蓄積部５に格納された動画データの一覧を表示部８に表示させたり、その表示された一覧から使用者が操作部１２を通じて任意に選択した動画データをデコーダ６にて復号させて表示部８に表示させたりすることができる。
【００２２】
（２）マルチ画面表示モード：
マルチ画面表示モードでは、チューナ３ｂが使用され、チューナの台数より多いチャンネル数のマルチ画面表示が行われる。マルチ画面に表示される各チャンネルは使用者によって予め設定されている。制御部９は、操作部１２にて所定の入力操作が行われると、使用者によって予め設定されているチャンネルの範囲で、チューナ３ｂの受信チャンネルを一定の周期で切り替える。図２に、「１ｃｈ」〜「３ｃｈ」の３つのチャンネルを一定の周期で切り替えた場合のマルチ画面表示処理の一例を示す。図２中、（ａ）はチューナ３ｂの受信チャンネルの切り替えの様子、（ｂ）は蓄積部５への動画データの蓄積の様子、（ｃ）は表示部８におけるマルチ画面表示の様子をそれぞれ示す。
【００２３】
まず、図２（ａ）を参照して、制御部９による受信チャンネルの切り替えについて説明する。図２（ａ）中、長い破線は、チューナ３ａに設定されている受信チャンネルを示し、短い破線は、チューナ３ｂに設定されている受信チャンネルを示す。チューナ３ａの受信チャンネルは「２ｃｈ」に固定され、チューナ３ｂの受信チャンネルは、１０秒ごとに切り替わる。チューナ３ａからの映像は、ここでは、使用されていないので、その説明は省略する。
【００２４】
最初の１０秒間（「０ｓ」〜「１０ｓ」）は、制御部９は、チューナ３ｂに対して「１ｃｈ」の選局制御信号を供給する。次の１０秒間（「１０ｓ」〜「２０ｓ」）は、制御部９は、チューナ３ｂに対して「２ｃｈ」の選局制御信号を供給する。次の１０秒間（「２０ｓ」〜「３０ｓ」）は、制御部９は、チューナ３ｂに対して「３ｃｈ」の選局制御信号を供給する。このようにして、制御部９は、１０秒ごとに、チューナ３ａの受信チャンネルを「１ｃｈ」、「２ｃｈ」、「３ｃｈ」の３つのチャンネルの範囲で順に切り替える。
【００２５】
蓄積部５には、「１ｃｈ」〜「３ｃｈ」のチャンネル毎に動画データの格納領域が用意されており、それぞれの格納領域に、チューナ３ｂから供給される一定時間分の映像の動画データが順に取り込まれる。蓄積部５に格納される一定時間分の映像を１セグメントと呼ぶ。ここでは、１０秒間の映像を１セグメントとする。
【００２６】
図２（ｂ）の例を参照すると、最初の１０秒間（「０ｓ」〜「１０ｓ」）は、チューナ３ｂから「１ｃｈ」の映像が供給され、その供給された映像の動画データが「１ｃｈ」の格納領域に格納される。次の１０秒間（「１０ｓ」〜「２０ｓ」）は、チューナ３ｂから「２ｃｈ」の映像が供給され、その供給された映像の動画データが「２ｃｈ」の格納領域に格納される。次の１０秒間（「２０ｓ」〜「３０ｓ」）は、チューナ３ｂから「３ｃｈ」の映像が供給され、その供給された映像の動画データが「３ｃｈ」の格納領域に格納される。こうして、「１ｃｈ」〜「３ｃｈ」の各格納領域には、最初の３０秒間（１回目のターン）で、１セグメント分の動画データが格納される。２回目以降のターンも同様な手順で各格納領域に１セグメント分の動画データが格納される。
【００２７】
蓄積部５の「１ｃｈ」〜「３ｃｈ」の各格納領域に動画データがセグメント単位に格納された後、制御部９は、その格納された動画データの復号を開始するための信号をデコーダ６に供給する。デコーダ６は、制御部９からの復号開始信号に応じて、蓄積部５の「１ｃｈ」〜「３ｃｈ」の格納領域毎に、格納されている動画データをセグメント単位に順に読み出して復号する。このデコーダ６によって復号された各チャンネルの動画データは映像合成部７にて合成される。表示部８では、その合成された動画データに基づいてマルチ画面表示が行われる。この場合のマルチ画面は、図２（ｃ）に示すように、「１ｃｈ」、「２ｃｈ」、「３ｃｈ」の各チャンネルに対応する３つの画面からなる。
【００２８】
「１ｃｈ」の画面では、図２（ｂ）に示した「１ｃｈ」の格納領域から、１個目のセグメントの動画データ（「０ｓ」〜「１０ｓ」の動画データ）が読み出されて表示された後、続いて、２個目のセグメントの動画データ（「３０ｓ」〜「４０ｓ」の動画データ）が読み出されて表示される。こうして、動画データがセグメント単位に順に読み出されて再生される。
【００２９】
「２ｃｈ」の画面においても、同様に、図２（ｂ）に示した「２ｃｈ」の格納領域から、１個目のセグメントの動画データ（「１０ｓ」〜「２０ｓ」の動画データ）が読み出されて表示された後、続いて、２個目のセグメントの動画データ（「４０ｓ」〜「５０ｓ」の動画データ）が読み出されて表示される。こうして、動画データがセグメント単位に順に読み出されて再生される。
【００３０】
「３ｃｈ」の画面においても、同様に、図２（ｂ）に示した「３ｃｈ」の格納領域から、１個目のセグメントの動画データ（「３０ｓ」〜「４０ｓ」の動画データ）が読み出されて表示された後、続いて、２個目のセグメントの動画データ（「５０ｓ」〜「６０ｓ」の動画データ）が読み出されて表示される。こうして、動画データがセグメント単位に順に読み出されて再生される。
【００３１】
上述したマルチ画面表示によれば、マルチ画面表示モードに切り替え後、最初の１０秒間は、「１ｃｈ」の画面に１個目のセグメントの動画データ（「０ｓ」〜「１０ｓ」の動画データ）が、「２ｃｈ」の画面に１個目のセグメントの動画データ（「１０ｓ」〜「２０ｓ」の動画データ）が、「３ｃｈ」の画面に１個目のセグメントの動画データ（「２０ｓ」〜「３０ｓ」の動画データ）が同時に表示される。次の１０秒間は、「１ｃｈ」の画面に２個目のセグメントの動画データ（「３０ｓ」〜「４０ｓ」の動画データ）が、「２ｃｈ」の画面に２個目のセグメントの動画データ（「４０ｓ」〜「５０ｓ」の動画データ）が、「３ｃｈ」の画面に２個目のセグメントの動画データ（「５０ｓ」〜「６０ｓ」の動画データ）が同時に表示される。このようにして、各チャンネルの画面には、２０秒おきに、１０秒間にわたって動画が表示される。
【００３２】
次に、上述したマルチ画面表示モードにおける、エンコーダ４ｂによる符号化を含む動画データの蓄積処理およびデコーダ６による復号を含む動画データの再生処理の手順を説明する。
【００３３】
図３は、動画データの蓄積処理の一手順を示すフローチャートである。この動画データの蓄積処理では、マルチ表示画面の各画面に表示されるチャンネルごとに、制御部９による制御によって以下のような処理が実行される。
【００３４】
まず、蓄積開始指示があったか否かが判断される（ステップＳ１０）。蓄積開始指示は、使用者が操作部１２にて所定の入力操作を行った場合に、自動的に発生するようになっている。ここで、所定の入力操作は、マルチ画面表示モードへの切り替え操作であってもよいし、当該受像機の電源をオンとする操作であってもよい。蓄積開始指示があった場合は、チューナ３ｂの受信チャンネルを予め指定されたチャンネルに合わせ（ステップＳ１１）、蓄積部５の該当するチャンネルの格納領域への動画データの格納を開始する（ステップＳ１２）。
【００３５】
次いで、一定時間経過したか否かが判断される（ステップＳ１３）。この判断で、「Ｎｏ」となった場合は、ステップＳ１２の動画の蓄積を続け、「Ｙｅｓ」となった場合は、続いて、蓄積終了指示があったか否かが判断される（ステップＳ１４）。この蓄積終了指示も、使用者が操作部１２にて所定の入力操作を行った場合に、自動的に発生するようになっている。ここで、所定の入力操作は、マルチ画面表示モードから通常の視聴／録画モードへの切り替え操作であってもよいし、当該受像機の電源をオフとする操作であってもよい。蓄積終了指示がない場合は、チューナ３ｂの受信チャンネルを予め指定された次のチャンネルに合わせ（ステップＳ１５）、ステップＳ１２の処理に移行する。蓄積終了指示があった場合は、動画データの蓄積処理を終了する。
【００３６】
図４は、動画データの再生処理の一手順を示すフローチャートである。この動画データの再生処理は、マルチ表示画面の各画面に表示されるチャンネルごとに、制御部９による制御によって以下のような処理が実行される。
【００３７】
まず、再生開始指示があったか否かが判断される（ステップＳ１０）。再生開始指示は、使用者が操作部１２にて所定の入力操作を行った場合に、自動的に発生するようになっている。所定の入力操作は、具体的には、マルチ画面表示モードへの切り替え操作である。再生開始指示があった場合は、蓄積部５の該当するチャンネルの格納領域に、表示すべき１セグメント分の動画データが格納されているか否かが判断される（ステップＳ２１）。この判断で「Ｎｏ」となった場合は、前回表示した１セグメント分の動画データを再表示し（ステップＳ２２）、その後、再びステップＳ２１の判断を行う。
【００３８】
ステップＳ２１の判断で「Ｙｅｓ」となった場合は、続いて、表示すべき１セグメント分の動画データを取り出してデコードする。このデコードされた動画データは、映像合成されてマルチ画面の該当するチャンネル画面に表示される。その後、再生終了指示があったか否かが判断される（ステップＳ２４）。この判断で「Ｎｏ」となった場合は、ステップＳ２１に移行し、「Ｙｅｓ」となった場合は、動画データの再生処理を終了する。
【００３９】
以上の動画データの蓄積処理および再生処理は連動して行われる。これらの蓄積処理および再生処理によれば、各チャンネルの画面には動画が表示されるので、静止画を表示する場合に比べて、放送番組の内容の把握が容易になる。
【００４０】
また、図２に示したように、「１ｃｈ」〜「３ｃｈ」の３つのチャンネルについてマルチ画面表示を行う場合は、蓄積部５から３チャンネル分の動画データが同時に読み出される。この場合の蓄積部５からの動画の読出しペースは、蓄積部５への動画の蓄積ペースの３倍となるため、いずれ蓄積分がなくなることになる。上述した再生処理によれば、蓄積分がない場合は、ステップＳ２２にて前回の動画表示が行われるため、表示が途切れる（表示データの無い状態）といった問題は生じない。
【００４１】
上述した実施形態は本発明の一例であり、その構成および処理は適宜変更することができる。例えば、マルチ画面表示モードにおいて、２台のチューナ１、２を用いるようにしてもよい。この場合は、チューナ１、２によって２チャンネル同時に動画データを蓄積部５に格納することが可能となる。具体的には、「１ｃｈ」〜「３ｃｈ」のマルチ画面表示の場合であれば、「１ｃｈ」と「２ｃｈ」、「２ｃｈ」と「３ｃｈ」、「３ｃｈ」と「１ｃｈ」といった組み合わせで、チューナ１、２の受信チャンネルを１０秒ごとに順次切り替えて、２チャンネル同時に動画データを蓄積部５に格納する。こうすることで、蓄積部５への動画の蓄積ペースは１台のチューナの場合に比べて２倍となり、ステップＳ２２の前回の動画表示が行われる頻度を少なくすることができる。
【００４２】
加えて、１台のチューナを使用した場合は、各チャンネルの画面では、２０秒おきに、１０秒間にわたって動画表示されるのに対して、２台のチューナを使用した場合は、各チャンネルの画面では、１０秒おきに、２０秒間にわたって動画が表示されることになる。このように、各チャンネルにおいて、セグメント単位に表示される動画の、セグメント間における連続性がよくなり、その結果、放送番組の内容をより把握し易くなる。
【００４３】
また、チューナの数は２台に限定されるものではなく、マルチ画面表示されるチャンネルの数がチューナの台数より多いという条件を満たすのであれば、チューナ台数は特に限定されるものではない。ただし、チューナの台数を多くすれば、セグメント間における連続性がさらによくなるが、コストや装置の大きさの面で不利となる。
【００４４】
さらに、チューナ１で常時受信されている映像をマルチ画面の１つの画面に表示することも可能である。この場合は、チューナ２の受信チャンネルの切り替えを行う際に、チューナ１に設定されている受信チャンネルをスキップするようにしてもよい。具体的には、図２の例において、「２ｃｈ」の画面には、チューナ１で常時受信されている映像を表示するようにし、残りの「１ｃｈ」および「３ｃｈ」の画面については、チューナ２の受信チャンネルを切り替えながら映像表示を行う。
【００４５】
（実施形態２）
マルチ画面表示モードにおいて、現時点で放送されている番組より前に放送された番組の映像が表示される場合がある。例えば、電源オンと同時に、マルチ画面表示用の動画データの蓄積部５への蓄積が開始され、その蓄積開始から２時間経過後に、マルチ画面表示モードへの切り替え操作が行われた場合に、蓄積部５に格納された動画データを最初から再生してしまうと、２時間前の映像が表示されることになる。現時点で放送されている番組が、放送時間が１時間の番組である場合は、２時間前の映像は、現時点で放送されている番組の前に放送された番組となる。このように、現時点で放送されていない番組がマルチ画面表示されると、使用者は、その表示された番組に基づいて見たい番組を選択することができなくなる。ここでは、現時点で放送されている番組のマルチ画面表示が可能な形態について説明する。
【００４６】
図５は、本発明の第２の実施形態であるマルチ画面テレビジョン受像機の概略構成を示すブロック図である。このマルチ画面テレビジョン受像機は、図１に示した受像機と基本的には同じであるが、制御部９が、記憶部１０に格納された番組表（ＥＰＧ：Electronic Program Guide）を参照して、現在放送中の番組の動画をマルチ画面表示させるように制御する点が異なる。
【００４７】
記憶部１０は、ＲＡＭ（Random Access Memory）に代表される半導体メモリ等からなり、所定のテレビジョン放送またはインターネットを通じて予め取得した番組表が格納される。番組表の取得自体は、すでに良く知られている技術であり、本実施形態の特徴とはあまり関連しないので、ここでは、その詳細な説明は省略する。
【００４８】
制御部９は、マルチ画面表示モードでは、チューナ３ｂの受信チャンネルを切り替えながら、エンコーダ４ｂによる符号化処理および蓄積部５への動画データの格納処理を実行するとともに、デコーダ６による復号処理を記憶部１０に格納された番組表と連動して実行させる。動画データを蓄積部５に格納する場合は、制御部９は、現在時刻を供給する時計部１１からの時刻情報を動画データに付与する。デコーダ６による復号処理を実行させる場合は、制御部９は、番組表から現時点で放送されている番組の放送開始時間を取得し、この放送開始時間以降の時刻情報が付与された動画データについて復号処理を行わせるようにデコーダ６を制御する。
【００４９】
図６に、制御部９によって行われる、現時点で放送されている番組の動画を表示する場合の制御の一手順を示す。
【００５０】
まず、再生開始指示があったか否かが判断される（ステップＳ３０）。再生開始指示は、使用者が操作部１２にて所定の入力操作を行った場合に、自動的に発生するようになっている。所定の入力操作は、具体的には、マルチ画面表示モードへの切り替え操作である。再生開始指示があった場合は、続いて、時計部１１からの時刻情報に基づいて現在の時刻を取得する（ステップＳ３１）。そして、記憶部１０に格納されている番組表を参照し、取得した現在の時刻から現在放送中の番組の情報を取得する（ステップＳ３２）。この取得した番組情報には、放送開始時間が含まれている。
【００５１】
次に、蓄積部５の該当するチャンネルの格納領域に格納されている動画データのうちから、ステップＳ３２で取得した番組情報（放送開始時間）と各動画データに付与されている時刻情報（放送時刻）とに基づいて、現在放送中の番組に関する動画データを判断する（ステップＳ３３）。続いて、現在放送中の番組に関する動画データのうち、時刻情報（放送時刻）が最も古い動画データの先頭に再生（復号）開始地点を設定し（ステップＳ３４）、１セグメント分の動画データを再生（復号）する（ステップＳ３５）。
【００５２】
１セグメント分の動画データの再生（復号）が行われると、続いて、次のセグメントが存在するか否かの判断を行う（ステップＳ３６）。ステップＳ３６の判断で「Ｙｅｓ」となった場合は、次のセグメントの先頭に再生（復号）開始地点を設定し（ステップＳ３７）、ステップＳ３４へ移行する。ステップＳ３６の判断で「Ｎｏ」となった場合は、続いて、再生終了指示があったか否かが判断される（ステップＳ３８）。ステップＳ３８の判断で「Ｎｏ」となった場合は、同じセグメントの先頭に再生（復号）開始地点を設定し（ステップＳ３９）、ステップＳ３４に移行する。ステップＳ３８の判断で「Ｙｅｓ」となった場合は、当該再生制御の処理を終了する。
【００５３】
以上の制御部９による再生制御が、マルチ画面表示される各チャンネルについて行われる。これにより、各チャンネルの画面には、現時点で放送されている番組に関する動画が表示されることになる。
【００５４】
図７に、現在放送中の番組の動画をマルチ画面表示する場合の動画データと番組表の関係を示す。図面左部分には、蓄積部５の「１ｃｈ」、「２ｃｈ」、「３ｃｈ」の各格納領域に格納された動画データ（蓄積映像）が模式的に示されており、図面右側部分には、「１ｃｈ」、「２ｃｈ」、「３ｃｈ」の３チャンネル分の番組表が示されている。
【００５５】
番組表において、「１ｃｈ」の欄には、現時点で放送されている番組Ｄ（放送開始時間は「２１：００」である。）とその前に放送された番組Ａ（放送時間は「１９：００」〜「２０：５９」である）に関する番組情報が格納されている。「２ｃｈ」の欄には、現時点で放送されている番組Ｆ（放送開始時間は「２２：００」である。）とその前に放送された番組Ｅ（放送時間は「２１：００」〜「２１：５９」である）および番組Ｂ（放送終了時間は「２０：５９」である）に関する番組情報が格納されている。「３ｃｈ」の欄には、現時点で放送されている番組Ｇ（放送開始時間は「２０：３０」である。）とその前に放送された番組Ｃ（放送時間は「１９：３０」〜「２０：２９」である）に関する番組情報が格納されている。
【００５６】
蓄積映像として、「１ｃｈ」の格納領域には、動画データＤ１ａ〜Ｄ１ｄが格納され、「２ｃｈ」の格納領域には、動画データＤ２ａ〜Ｄ２ｄが格納され、「３ｃｈ」の格納領域には、動画データＤ３ａ〜Ｄ３ｃが格納されている。動画データＤ１ａ〜Ｄ１ｄのうち、動画データＤ１ａ、Ｄ１ｂには時刻「２１：００」より前の時刻情報が付与されており、これにより番組Ａの動画データであることが分かる。動画データＤ１ｃ、Ｄ１ｄには時刻「２１：００」以降の時刻情報が付与されており、これにより番組Ｄの動画データであることが分かる。動画データＤ２ａ〜Ｄ２ｄのうち、動画データＤ２ａ〜Ｄ２ｃには時刻「２２：００」より前の時刻情報が付与されており、これにより番組Ｂまたは番組Ｅの動画データであることが分かる。動画データＤ２ｄには時刻「２２：００」以降の時刻情報が付与されており、これにより番組Ｄの動画データであることが分かる。動画データＤ３ａ〜Ｄ３ｃのうち、動画データＤ３ａには時刻「２０：３０」より前の時刻情報が付与されており、これにより番組Ｃの動画データであることが分かる。動画データＤ３ｂ、Ｄ３ｃには時刻「２０：３０」以降の時刻情報が付与されており、これにより番組Ｇの動画データであることが分かる。
【００５７】
「１ｃｈ」の画面に動画を表示する場合は、制御部９は、蓄積部５の「１ｃｈ」の格納領域に格納された動画データＤ１ａ〜Ｄ１ｄのうち、現時点で放送されている番組Ｄに関する動画データＤ１ｃ、Ｄ１ｄを順次復号するように、デコーダ６を制御する。「２ｃｈ」の画面に動画を表示する場合は、制御部９は、蓄積部５の「２ｃｈ」の格納領域に格納された動画データＤ２ａ〜Ｄ２ｄのうち、現時点で放送されている番組Ｆに関する動画データＤ２ｄを復号するように、デコーダ６を制御する。「３ｃｈ」の画面に動画を表示する場合は、制御部９は、蓄積部５の「３ｃｈ」の格納領域に格納された動画データＤ３ａ〜Ｄ３ｃのうち、現時点で放送されている番組Ｇに関する動画データＤ３ｂ、Ｄ３ｃを順次復号するように、デコーダ６を制御する。これにより、「１ｃｈ」〜「３ｃｈ」の各画面には、現時点で放送されている番組の動画が表示されることになる。
【００５８】
以上のように、本実施形態によれば、現在放送中の番組に関するマルチ画面表示が可能であるので、使用者が、マルチ画面上で見たい番組を確実に選択することができる。
【００５９】
（実施形態３）
マルチ画面表示モードにおいて、受信チャンネルの切り替えのタイミングによっては、放送番組の先頭部分を表示できない場合がある。放送番組の先頭部分の映像（放送開始から所定時間分の映像）は、これから放送される番組の内容や出演者の紹介など、番組を視聴する上で、かなり重要な内容を含む部分であり、重要性は番組の他の部分に比べて高い。このため、放送番組の先頭部分は、極力、表示させることが望ましい。ここでは、番組の先頭部分を優先的に表示するようにした形態について説明する。
【００６０】
本第３の実施形態のマルチ画面テレビジョン受像機は、基本的には、図５に示した第２の実施形態の受像機と同じ構成のものであるが、制御部９による蓄積部５への動画データの蓄積処理が異なる。図８に、その動画データの蓄積処理の一手順を示す。
【００６１】
図８を参照すると、まず、蓄積開始指示があったか否かが判断される（ステップＳ４０）。この蓄積開始指示は、使用者が操作部１２にて所定の入力操作を行った場合に、自動的に発生するようになっている。ここで、所定の入力操作は、マルチ画面表示モードへの切り替え操作であってもよいし、当該受像機の電源をオンとする操作であってもよい。
【００６２】
蓄積開始指示があった場合は、記憶部１０に格納されている番組表から、マルチ画面表示される各チャンネルで放送される番組情報を取得する（ステップＳ４１）。続いて、その取得した番組情報に基づいて、番組の先頭がこれから放送されるチャンネルがあるか否かを判断する（ステップＳ４２）。ステップＳ４１で取得した番組情報には、放送時間に関する情報が含まれており、この情報と時計部１１からの時刻情報とに基づいて、番組の先頭部分が放送されるタイミングを取得することができ、この取得したタイミングに基づいてステップＳ４２の判断を行うことができる。
【００６３】
ステップＳ４２の判断で「Ｎｏ」となった場合は、通常のチャンネル合わせを行った後、蓄積部５の該当するチャンネルの格納領域に１セグメント分の動画データを格納する（ステップＳ４３）。通常のチャンネル合わせでは、各チャンネルのうちの、１つ前に蓄積されたセグメントが最も古いチャンネルにチューナ３ｂの受信チャンネルを合わせる。ステップＳ４２の判断で「Ｙｅｓ」となった場合は、続いて、番組の先頭がこれから放送されるチャンネルが１つであるか、複数であるかの判断が行われる（ステップＳ４４）。ステップＳ４４で「１つ」と判断された場合は、そのチャンネルにチューナ３ｂの受信チャンネルを合わせて、蓄積部５の該当するチャンネルの格納領域に１セグメント分の動画データを格納する（ステップＳ４５）。ステップＳ４４で「複数」と判断された場合は、それらチャンネルについて、１つ前に蓄積されたセグメントが古い順にチューナ３ｂの受信チャンネルを合わせ、蓄積部５の該当するチャンネルの格納領域にセグメント単位に動画データを格納する（ステップＳ４６）。
【００６４】
ステップＳ４３、Ｓ４５、Ｓ４６のいずれかのステップが実行された後、蓄積終了指示があったか否かが判断される（ステップＳ４７）。この蓄積終了指示も、使用者が操作部１２にて所定の入力操作を行った場合に、自動的に発生するようになっている。ここで、所定の入力操作は、マルチ画面表示モードから通常の視聴／録画モードへの切り替え操作であってもよいし、当該受像機の電源をオフとする操作であってもよい。蓄積終了指示がない場合は、ステップＳ４２に戻って、次のチャンネルに関する動画データの蓄積を行う。蓄積終了指示があった場合は、動画データの蓄積処理を終了する。
【００６５】
以上の制御部９による動画データの蓄積処理では、番組の先頭部分の動画データが優先的に蓄積されるので、マルチ画面表示した際に、各チャンネルで、番組の先頭部分の映像を表示することが可能となる。これにより、使用者に対して、番組選択を行う上で重要となる番組の先頭部分の映像を確実に提示することができる。
【００６６】
図９に、番組表に連動して番組の先頭を優先的に蓄積する場合の動作例を示す。図面左部分には、蓄積部５の「１ｃｈ」、「２ｃｈ」、「３ｃｈ」の各格納領域への動画データ（蓄積映像）の格納順序が模式的に示されており、図面右側部分には、「１ｃｈ」、「２ｃｈ」、「３ｃｈ」の３チャンネル分の番組表が示されている。
【００６７】
番組表において、「１ｃｈ」の番組欄では、番組Ａに続いて、「２１：００」から番組Ｄが放送されるようになっている。「２ｃｈ」の番組欄では、番組Ｂに続いて、「２１：００」から番組Ｅが放送されるようになっている。「３ｃｈ」の番組欄では、番組Ｃに続いて、「２０：３０」から番組Ｇが放送されるようになっている。この場合、制御部９は、番組表から、番組Ｄ、Ｅ、Ｇのそれぞれの放送開始時間を取得し、この情報と時計部１１からの現在時刻の情報とに基づいて、番組Ｄ、Ｅ、Ｇの先頭部分が放送されるタイミングを取得することができ、この取得したタイミングに基づいて上述したステップＳ４２の判断を行う。
【００６８】
図面右側部分に示した番組表に連動して動画データの蓄積を行った場合、「１ｃｈ」、「２ｃｈ」、「３ｃｈ」の各格納領域には、図面左部分に示したように動画データが蓄積される。この動画データの蓄積では、ステップＳ４１で番組表から「１ｃｈ」〜「３ｃｈ」の各チャンネルの番組情報を取得した後、ステップＳ４２〜Ｓ４６の処理が繰り返される。
【００６９】
まず、ステップＳ４２の判断が行われる。この時点では、「１ｃｈ」〜「３ｃｈ」の各チャンネルのいずれにおいても、先頭がこれから放送される番組は存在しないため、ステップＳ４２の判断は「Ｎｏ」となる。そして、ステップＳ４３で、通常のチャンネル合わせにより、チューナ３ｂの受信チャンネルが「１ｃｈ」に設定され、蓄積部５の「１ｃｈ」の格納領域に番組Ａに関する動画データＤ１ａが格納される。
【００７０】
動画データＤ１ａの格納後、再びステップＳ４２に戻る。この時点では、「３ｃｈ」において番組Ｃの放送が開始されているため、ステップＳ４２の判断は「Ｙｅｓ」となり、ステップＳ４４で「１つ」と判断される。そして、ステップＳ４５で、チューナ３ｂの受信チャンネルが「３ｃｈ」に設定され、蓄積部５の「３ｃｈ」の格納領域に番組Ｃに関する動画データＤ３ａが格納される。
【００７１】
動画データＤ３ａの格納後、再びステップＳ４２に戻る。この時点では、「１ｃｈ」〜「３ｃｈ」の各チャンネルのいずれにおいても、先頭がこれから放送される番組は存在しないため、ステップＳ４２の判断は「Ｎｏ」となる。そして、ステップＳ４３で、通常のチャンネル合わせにより、チューナ３ｂの受信チャンネルが「２ｃｈ」に設定され、蓄積部５の「２ｃｈ」の格納領域に番組Ｂに関する動画データＤ２ａが格納される。
【００７２】
動画データＤ２ａの格納後、再びステップＳ４２に戻る。この時点では、「１ｃｈ」〜「３ｃｈ」の各チャンネルのいずれにおいても、先頭がこれから放送される番組は存在しないため、ステップＳ４２の判断は「Ｎｏ」となる。そして、ステップＳ４３で、通常のチャンネル合わせにより、チューナ３ｂの受信チャンネルが「１ｃｈ」に設定され、蓄積部５の「１ｃｈ」の格納領域に番組Ａに関する動画データＤ１ｂが格納される。
【００７３】
動画データＤ１ｂの格納後、再びステップＳ４２に戻る。この時点では、「１ｃｈ」〜「３ｃｈ」の各チャンネルのいずれにおいても、先頭がこれから放送される番組は存在しないため、ステップＳ４２の判断は「Ｎｏ」となる。ただし、この場合は、「３ｃｈ」において番組Ｇの放送がもうすぐ開始されることが分かっているので、ステップＳ４３の通常のチャンネル合わせでは、残りの「１ｃｈ」および「２ｃｈ」のうちの、１つ前に蓄積されたセグメントが古い「２ｃｈ」にチューナ３ｂの受信チャンネルを合わせる。そして、蓄積部５の「２ｃｈ」の格納領域に番組Ｂに関する動画データＤ２ｂが格納される。
【００７４】
動画データＤ２ｂの格納後、再びステップＳ４２に戻る。この時点では、「３ｃｈ」において番組Ｇの放送が開始されているため、ステップＳ４２の判断は「Ｙｅｓ」となり、ステップＳ４４で「１つ」と判断される。そして、ステップＳ４５で、チューナ３ｂの受信チャンネルが「３ｃｈ」に設定され、蓄積部５の「３ｃｈ」の格納領域に番組Ｇに関する動画データＤ３ｂが格納される。
【００７５】
動画データＤ３ｂの格納後、再びステップＳ４２に戻る。この時点では、「１ｃｈ」において番組Ｄの放送が、「２ｃｈ」において番組Ｅの放送が同時に開始されているため、ステップＳ４２の判断は「Ｙｅｓ」となり、ステップＳ４４で「複数」と判断される。そして、ステップＳ４６で、チューナ３ｂの受信チャンネルがまず「１ｃｈ」に設定され、蓄積部５の「１ｃｈ」の格納領域に番組Ｄに関する動画データＤ１ｃが格納される。続いて、チューナ３ｂの受信チャンネルが「２ｃｈ」に設定され、蓄積部５の「２ｃｈ」の格納領域に番組Ｅに関する動画データＤ２ｃが格納される。
【００７６】
動画データＤ１ｃ、Ｄ２ｃの格納後、再びステップＳ４２に戻る。この時点では、「１ｃｈ」〜「３ｃｈ」の各チャンネルのいずれにおいても、先頭がこれから放送される番組は存在しないため、ステップＳ４２の判断は「Ｎｏ」となる。そして、ステップＳ４３で、通常のチャンネル合わせにより、チューナ３ｂの受信チャンネルが「３ｃｈ」に設定され、蓄積部５の「３ｃｈ」の格納領域に番組Ｇに関する動画データＤ３ｃが格納される。
【００７７】
動画データＤ３ｃの格納後、再びステップＳ４２に戻る。この時点では、「１ｃｈ」〜「３ｃｈ」の各チャンネルのいずれにおいても、先頭がこれから放送される番組は存在しないため、ステップＳ４２の判断は「Ｎｏ」となる。そして、ステップＳ４３で、通常のチャンネル合わせにより、チューナ３ｂの受信チャンネルが「１ｃｈ」に設定され、蓄積部５の「１ｃｈ」の格納領域に番組Ｄに関する動画データＤ３ｄが格納される。
【００７８】
動画データＤ１ｄの格納後、再びステップＳ４２に戻る。この時点では、「１ｃｈ」〜「３ｃｈ」の各チャンネルのいずれにおいても、先頭がこれから放送される番組は存在しないため、ステップＳ４２の判断は「Ｎｏ」となる。そして、ステップＳ４３で、通常のチャンネル合わせにより、チューナ３ｂの受信チャンネルが「２ｃｈ」に設定され、蓄積部５の「２ｃｈ」の格納領域に番組Ｅに関する動画データＤ２ｄが格納される。
【００７９】
（実施形態４）
マルチ画面表示において、例えば、ニュースやスポーツ中継などの番組は、常に新しい情報を表示する必要がある。一方、ドラマ等の番組は、同じ日の放送であれば、どの部分を再生しても重要度はさほど変わらない。このことから、放送番組のジャンルに応じたマルチ画面表示を行うことが望ましい。ここでは、そのようなマルチ画面表示を行う形態について説明する。
【００８０】
本第４の実施形態のマルチ画面テレビジョン受像機は、基本的には、図５に示した第２の実施形態の受像機と同じ構成のものであるが、制御部９による動画データの再生処理の制御手順が異なる。図１０に、その動画データの再生処理の制御の一手順を示す。
【００８１】
まず、再生開始指示があったか否かが判断される（ステップＳ５０）。再生開始指示は、使用者が操作部１２にて所定の入力操作を行った場合に、自動的に発生するようになっている。所定の入力操作は、具体的には、マルチ画面表示モードへの切り替え操作である。再生開始指示があった場合は、続いて、時計部１１からの時刻情報に基づいて現在の時刻を取得する（ステップＳ５１）。そして、記憶部１０に格納されている番組表を参照し、取得した現在の時刻から現在放送中の番組の情報を取得する（ステップＳ５２）。この取得した番組情報には、放送開始時間およびジャンルを特定可能な情報（スポーツ、ニュース、ドラマといた情報）が含まれている。
【００８２】
次に、ステップＳ５２で取得した番組情報（放送開始時間）と各動画データに付与されている時刻情報とに基づいて、蓄積部５の該当するチャンネルの格納領域に格納されている動画データのうちから現在放送中の番組に関する動画データを判断する（ステップＳ５３）。続いて、ステップＳ５２で取得した番組情報（ジャンル特定情報）に基づいて、現在放送中の番組が最新情報を重要とするジャンル（スポーツやニュース）の番組か否かを判断する（ステップＳ５４）。
【００８３】
ステップＳ５４の判断で「Ｙｅｓ」となった場合は、ステップＳ５３で判断した現在放送中の番組に関する動画データのうち、時刻情報の最も新しいセグメントの先頭に再生（復号）開始地点を設定し（ステップＳ５５）、「Ｎｏ」となった場合は、時刻情報の最も古いセグメントの先頭に再生（復号）開始地点を設定する（ステップＳ５６）。ステップＳ５５、Ｓ５６のいずれかが行われた後、１セグメント分の動画データを再生（復号）する（ステップＳ５７）。
【００８４】
１セグメント分の動画データの再生（復号）が行われると、続いて、次のセグメントが存在するか否かの判断を行う（ステップＳ５８）。ステップＳ５８の判断で「Ｙｅｓ」となった場合は、次のセグメントの先頭に再生（復号）開始地点を設定し（ステップＳ５９）、ステップＳ５７へ移行する。ステップＳ５８の判断で「Ｎｏ」となった場合は、続いて、再生終了指示があったか否かが判断される（ステップＳ６０）。ステップＳ６０の判断で「Ｎｏ」となった場合は、同じセグメントの先頭に再生（復号）開始地点を設定し（ステップＳ６１）、ステップＳ５７に移行する。ステップＳ６０の判断で「Ｙｅｓ」となった場合は、当該再生制御の処理を終了する。
【００８５】
以上の制御部９による再生制御が、マルチ画面表示される各チャンネルについて行われる。これにより、各チャンネルの画面には、現時点で放送されている番組に関する動画が表示されるとともに、表示された番組のうち、ジャンル（スポーツ中継やニュース）の番組については、最新映像の動画が常に表示される。
【００８６】
図１１に、現在放送中の番組の動画をジャンルに応じてマルチ画面表示する場合の動画データと番組表の関係を示す。図面左部分には、蓄積部５の「１ｃｈ」、「２ｃｈ」、「３ｃｈ」の各格納領域に格納された動画データ（蓄積映像）が模式的に示されており、図面右側部分には、「１ｃｈ」、「２ｃｈ」、「３ｃｈ」の３チャンネル分の番組表が示されている。
【００８７】
番組表において、「１ｃｈ」の欄には、番組Ａに関する番組情報（放送開始時間は「１９：００」、ジャンルは「ニュース」である）が格納されている。「２ｃｈ」の欄には、番組Ｂに関する番組情報（放送開始時間は「１８：３０」、ジャンルは「スポーツ中継」である）が格納されている。「３ｃｈ」の欄には、番組Ｃに関する番組情報（放送開始時間は「１９：００」、ジャンルは「ドラマ」である）が格納されている。
【００８８】
蓄積映像として、「１ｃｈ」の格納領域には、動画データＤ１ａ〜Ｄ１ｄが格納され、「２ｃｈ」の格納領域には、動画データＤ２ａ〜Ｄ２ｄが格納され、「３ｃｈ」の格納領域には、動画データＤ３ａ〜Ｄ３ｃが格納されている。動画データＤ１ａには時刻「１９：００」より前の時刻情報が付与されており、これにより番組Ａより前の番組に関する動画データであることが分かる。動画データＤ１ｂ〜Ｄ１ｄには時刻「１９：００」以降の時刻情報が付与されており、これにより番組Ａに関する動画データであることが分かる。動画データＤ２ａ〜Ｄ２ｄには時刻「１８：３０」以降の時刻情報が付与されており、これにより番組Ｂに関する動画データであることが分かる。動画データＤ３ａ〜Ｄ３ｃには時刻「１９：００」以降の時刻情報が付与されており、これにより番組Ｃに関する動画データであることが分かる。
【００８９】
蓄積部５の「３ｃｈ」の格納領域に動画データＤ２ｄが格納された後、マルチ画面表示モードへのモード切り替えが行われると、制御部９が、図１０に示した手順で再生（復号）処理を実行する。この場合は、「１ｃｈ」では番組Ａ（ニュース）が現在放送されているので、蓄積部５の「１ｃｈ」の格納領域に格納されている、番組Ａに関する動画データＤ１ｂ〜Ｄ１ｄのうち最も新しいセグメントである動画データＤ１ｄが再生（復号）される。また、「２ｃｈ」では番組Ｂ（スポーツ中継）が現在放送されているので、蓄積部５の「２ｃｈ」の格納領域に格納されている、番組Ｂに関する動画データＤ２ａ〜Ｄ２ｄのうち最も新しいセグメントである動画データＤ２ｄが再生（復号）される。さらに、「３ｃｈ」では番組Ｃ（ドラマ）が現在放送されているので、蓄積部５の「３ｃｈ」の格納領域に格納されている、番組Ｃに関する動画データＤ３ａ〜Ｄ３ｃのうち最も古いセグメントである動画データＤ３ａが再生（復号）される。
【００９０】
以上のように、本実施形態によれば、スポーツ中継やニュースなどの番組については、放送された映像のうち常に最新の映像を表示することができるので、マルチ画面表示における利便性がさらに向上する。
【００９１】
（実施形態５）
マルチ画面表示モードにおいて、バラエティ番組など、毎回放送される番組構成が同じものについては、１日前や１週間前の過去の放送を蓄積部５に格納しておき、現在放送中の番組の再生に代えて、過去の放送における同時刻の少し後の動画データを表示することで、これから放送される番組の構成を知ることが可能となる。ここでは、そのような過去の放送を表示可能な形態について説明する。
【００９２】
本第５の実施形態のマルチ画面テレビジョン受像機は、基本的には、図５に示した第２の実施形態の受像機と同じ構成のものであるが、制御部９による動画データの再生処理の制御手順が異なる。図１２に、制御部９の制御に基づく動画データの再生処理を模式的に示す。
【００９３】
図１２に示すように、蓄積部５には、「１ｃｈ」の格納領域に１週間前に放送された番組Ａの動画データＤ１ａ〜Ｄ１ｄが格納され、「２ｃｈ」の格納領域に１週間に前放送された番組Ｂの動画データＤ２ａ〜Ｄ２ｄが格納され、「３ｃｈ」の格納領域に１週間前に放送された番組Ｃの動画データＤ３ａ〜Ｄ３ｃが格納されている。番組Ａ〜Ｃは、いずれも毎回放送される番組構成が同じ番組である。「１ｃｈ」〜「３ｃｈ」の各格納領域に格納された動画データには、時刻情報（放送時刻）が付与されており、この時刻情報（放送時刻）に基づいて、現在放送中の番組の一週間前の放送の動画データを判断することができる。
【００９４】
番組Ａ〜Ｃが現在放送中であると仮定すると、デコーダ６は、「１ｃｈ」の格納領域から１週間前の同時刻より少し後の放送時刻が付与された動画データＤ１ｃを、「２ｃｈ」の格納領域から１週間前の同時刻より少し後の放送時刻が付与された動画データＤ２ｂを、「３ｃｈ」の格納領域から１週間前の同時刻より少し後の放送時刻が付与された動画データＤ３ｂをそれぞれ読み出して同時に再生する。この同時再生された動画データは、映像合成部７によって合成された後、表示部８のマルチ画面に表示される。こうしてマルチ画面表示された一週間前の映像から、使用者は、現在放送中の番組Ａ〜Ｃについて、これから放送される番組構成を把握することができる。その結果、マルチ画面表示における番組選択において見たい番組を確実に選択することが可能となる。
【００９５】
上記の再生処理の制御は、再放送番組の放送においても適用することができる。再放送番組では、放送時間が異なるものの、初回放送番組と全く同じ内容が放送される。この場合は、初回放送番組の動画データを蓄積部５に格納する。この動画データの格納に際して、制御部９は、初回放送番組であることを特定可能な番組特定情報（何回目の放送であるかを示す情報やタイトル名など）を記憶部１０に格納された番組表から取得し、その取得した情報を格納する動画データに付与する。この付与した番組特定情報に基づいて、どの番組の初回放送番組であるかを判断することができる。再放送番組の放送中は、デコーダ６が、現在放送中の再放送番組の動画データの再生に代えて、初回放送番組の、対応する放送時刻より所定の時間だけ新しい放送時刻の動画データを蓄積部５から読み出して再生する。この再生処理の制御によれば、使用者は、放送中の再放送番組について、これらか放送される内容を把握することができ、その結果、マルチ画面表示における番組選択において見たい番組を確実に選択することが可能となる。
【００９６】
以上説明した各実施形態は本発明の一例であり、その構成および動作は適宜変更することが可能である。例えば、第２〜第５の実施形態のうち２つ以上の形態を組み合せた構成とすることも可能である。
【図面の簡単な説明】
【００９７】
【図１】本発明の第１の実施形態であるマルチ画面テレビジョン受像機の概略構成示すブロック図である。
【図２】図１に示すマルチ画面テレビジョン受像機において行われるマルチ画面表示処理を説明するための図であって、（ａ）はチャンネル切り替え例を示す模式図、（ｂ）は動画データの蓄積例を示す模式図、（ｃ）はマルチ画面表示の模式図である。
【図３】図１に示すマルチ画面テレビジョン受像機において行われる動画データの蓄積処理の一手順を示すフローチャートである。
【図４】図１に示すマルチ画面テレビジョン受像機において行われる動画データの再生処理の一手順を示すフローチャートである。
【図５】本発明の第２の実施形態であるマルチ画面テレビジョン受像機の概略構成を示すブロック図である。
【図６】図５に示すマルチ画面テレビジョン受像機において行われる動画データの再生処理の一手順を示すフローチャートである。
【図７】図１に示すマルチ画面テレビジョン受像機における動画データの蓄積と番組表の関係を示す模式図である。
【図８】本発明の第３の実施形態であるマルチ画面テレビジョン受像機において行われる動画データの蓄積処理の一手順を示すフローチャートである。
【図９】本発明の第３の実施形態であるマルチ画面テレビジョン受像機における動画データの蓄積と番組表の関係を示す模式図である。
【図１０】本発明の第４の実施形態であるマルチ画面テレビジョン受像機において行われる動画データの再生処理の一手順を示すフローチャートである。
【図１１】本発明の第４の実施形態であるマルチ画面テレビジョン受像機における動画データの蓄積と番組表の関係を示す模式図である。
【図１２】本発明の第４の実施形態であるマルチ画面テレビジョン受像機における動画データの蓄積例を示す模式図である。
【符号の説明】
【００９８】
１  アンテナ
２  分配器
３ａ、３ｂ  チューナ
４ａ、４ｂ  エンコーダ
５  蓄積部
６  デコーダ
７  映像合成部
８  表示部
９  制御部
１２  操作部
【図１】
2006101159.tif 000003
【図２】
2006101159.tif 000004
【図３】
2006101159.tif 000005
【図４】
2006101159.tif 000006
【図５】
2006101159.tif 000007
【図６】
2006101159.tif 000008
【図７】
2006101159.tif 000009
【図８】
2006101159.tif 000010
【図９】
2006101159.tif 000011
【図１０】
2006101159.tif 000012
【図１１】
2006101159.tif 000013
【図１２】
2006101159.tif 000014